(57)【要約】  浮遊構造体のようなこの構造体（１）は、アンカーポイント（４）において構造体のアンカー素子（３）を案内するための少なくとも１つの索道器（５）を有し、上記索道器（５）は、構造体（１）とアンカーポイント（４）との間での移動においてアンカー素子（３）を案内できる案内手段と、案内手段においてアンカー素子（３）を移動させてそれにより張力をかけて上記アンカー素子を配置するための手段と、アンカー素子（３）が案内手段において移動することを防止して構造体をアンカーポイントに係留できるロック手段と、を備え、案内手段においてアンカー素子（３）を移動させるための手段は、索道器の構造体の残りの部分とは別の個別部品に一体化されており、この部品と索道器の構造体の残りの部分は、これらの退避式連結手段を備える。
2019510689.tif 000002
【特許請求の範囲】
【請求項１】
浮遊構造体のような海上構造体（１）であって、
アンカーポイント（４）においてアンカー素子（３）を案内するための少なくとも１つの索道器（５）を有し、
前記索道器（５）が、
当該構造体（１）と前記アンカーポイント（４）との間で前記アンカー素子（３）の移動を案内できる案内手段（１１）と、
前記案内手段において前記アンカー素子（３）を移動させ、それにより、張力を受けた状態で前記アンカー素子（３）を配置するための手段（２６）と、
前記案内手段（１１）において前記アンカー素子（３）が移動することを防止でき、当該構造体を前記アンカーポイントに係留させるためのロック手段（４０）と、
を備え、
前記案内手段（１１）において前記アンカー素子（３）を移動させるための前記手段が、前記索道器の構造体（１２）の残りの部分とは別の個別の部品（１３、１４）に一体化されており、
前記部品と前記索道器の前記構造体の前記残りの部分とが、退避式連結手段（１５、１６、１７、１８、１９、２０）を備えることを特徴とする海上構造体。
【請求項２】
前記アンカー素子の前記移動手段が組み込まれている前記個別の部品（１３）が、前記案内索道器の残りの部分（１２）に係合するのに適し、前記索道器の前記残りの部分に対して前記部品（１３）を中心合せ（１５、１６）して前記部品を所定位置にロック（１７、１８、１９、２０）するための手段を有する、前記移動手段のための支持フレーム（１４）を有しており、
前記ロック手段が、第１アクチュエータ（２２）によって、前記案内索道器の前記残りの部分（１２）に対する前記フレーム（１４）の作動連結位置と、前記部品を解放して前記部品を前記索道器の前記残りの部分から取り外すことを可能とする退避位置と、の間で移動可能であることを特徴とする請求項１に記載の海上構造体。
【請求項３】
前記中心合手段が、前記索道器の前記残りの部分（１２）と相補的であり、前記ロック手段の位置合わせ及び中心合せが可能な中心合素子（１６）と協働できる中心合突起（１５）を備え、
前記ロック手段が、前記第１アクチュエータ（２２）によって、前記索道器の前記残りの部分における対応するロック穴部（２３）内に突出する作動ロック位置と、解放退避位置と、の間で移動可能であるロックピン（２１）を備えることを特徴とする請求項２に記載の海上構造体。
【請求項４】
前記アンカー素子を移動させるための前記手段が、前記アンカー素子（３）を移動させて張力をかけるための搬送体（２６）を備え、
前記搬送体が、少なくとも１つの第２アクチュエータ（２９、３０）によって前記個別の部品の案内路（２７、２８）で往復移動可能であることを特徴とする請求項１から３のいずれか１項に記載の海上構造体。
【請求項５】
前記アンカー素子（３）を移動させて張力をかけるための前記搬送体（２６）が、前記アンカー素子（３）を把持するための手段（３１、３２）を有し、
前記手段（３１、３２）が、少なくとも１つの第３アクチュエータ（３３、３４）によって、前記アンカー素子（３）を把持してそれにより少なくとも１つの前記第２アクチュエータ（２９、３０）の作動を受けて前記搬送体が所定方向で移動すると前記張力搬送体（２６）によって前記アンカー素子を移動させることを可能とする作動位置と、前記搬送体を解放し、前記搬送体（２６）が少なくとも１つの前記第２アクチュエータ（２９、３０）の作動を受けて前記搬送体（２６）が他方向で戻るまたは前記索道器の前記残りの部分から前記個別の部品を解放することを可能とする退避位置と、の間で移動可能であることを特徴とする請求項４に記載の海上構造体。
【請求項６】
前記ロック手段（４０）が、前記案内手段における前記アンカー素子（３）の移動をロックでき、前記アンカー素子のための停止手段（４１、４２）を備え、
前記停止手段が、少なくとも１つの第４アクチュエータ（４３）の制御下で、前記アンカー素子をロックする作動停止位置と、前記アンカー素子を解放するための退避位置と、の間で移動可能であることを特徴とする請求項１から５のいずれか１項に記載の海上構造体。
【請求項７】
前記アクチュエータの制御手段（５０、５１）を有し、
−前記案内索道器の前記残りの部分に対する前記個別の部品の前記ロック位置にある前記ロック手段（１７〜２０）の前記第１アクチュエータを制御すること、
−前記アンカー素子の前記作動把持位置にある前記把持手段の前記第３アクチュエータ（３３、３４）を制御すること、
−前記アンカー素子の前記解放退避位置にある前記アンカー素子の前記ロック手段の前記第４アクチュエータ（４４）を制御すること、
−前記搬送体を移動させて前記アンカー素子に張力をかけるまたは弛緩させるための前記第２アクチュエータ（２９、３０）を制御すること、
−前記作動当接位置にある前記アンカー素子の前記ロック手段の前記第４アクチュエータ（４３）を制御して前記アンカー素子をロックすること、
−前記アンカー素子の前記退避解放位置にある前記把持手段の前記第３アクチュエータ（３３、３４）を制御すること、
−前記個別の部品の前記退避解放位置にある前記ロック手段（１７〜２０）の前記第１アクチュエータを制御し、前記個別の部品を前記索道器の前記残りの部分から取り外すことを可能とすること、
を特徴とする請求項２または３及び４または５及び６に記載の海上構造体。
【請求項８】
前記アクチュエータが、ジャックを備えることを特徴とする請求項２から７のいずれか１項に記載の海上構造体。
【請求項９】
前記個別の部品（１３、１４）が、当該個別の部品の取扱手段に取り付けるための手段（６０、６１、６２、６３）を有することを特徴とする請求項１から８のいずれか１項に記載の海上構造体。
【請求項１０】
当該海上構造体の周囲に配設された複数の前記案内索道器を有し、
前記個別の部品の前記取扱移動手段が、前記索道器のうちの少なくとも一部の間で前記個別の部品を移動させるのに適していることを特徴とする請求項９に記載の海上構造体。
【発明の詳細な説明】
【技術分野】
【０００１】
本発明は、海上構造体に関する。
【０００２】
より具体的には、このような海上構造体に、特に、この性質の浮遊構造体に関する。
【０００３】
依然としてより詳しくは、本発明は、浮遊エネルギー生産支持体、建設プラットホーム、掘削プラットホーム、荷役ブイ、または、海上の風に基づいた設備または海洋熱エネルギーに基づいた発電所のような再生可能な海洋エネルギーのための浮遊プラットホーム、などのような海上構造体に関する。
【背景技術】
【０００４】
このような浮遊構造体は、所定位置で維持されなければならない一方、これら浮遊構造体は、様々な力、特に例えば海流、うねり、風などから生じた漂流力を受ける。
【０００５】
これら構造体を所定位置で、例えば作動場所で維持するために、例えばアンカー手段が使用されており、全体的にまたは一部において特にそれらの端部においてチェーンで形成された１組のアンカーラインを実施する。
【０００６】
このようなラインは、通常、係留されるまたはアンカーされる構造体の周りに配設されており、上記構造体と例えば海底にある係留またはアンカーポイントそれぞれとの間で延在する。
【０００７】
わかることは、係留またはアンカーラインが、チェーンの形態をなす第１端部が上記係留・アンカーポイントに取り付けられ、浮遊ユニットまで上昇し、チェーン進入案内手段を介してそれらと関連付けられていること、である。
【０００８】
これら案内手段は、同様に、索道器としての技術分野において知られている。
【０００９】
これら索道器は、実際には、浮遊構造体にある固定・取付手段と、チェーンのための案内手段と、を有する。
【００１０】
これら索道器は、同様に、何らかの方法で、張力をかけている上記チェーンを配置するための手段と、上記構造体に係留するためにチェーンをロックするための手段と、に関連付けられている。
【００１１】
張力手段は、例えばウインチまたは巻上機などを有し得る一方、チェーンをロックするためのシステムは、チェーンストッパとも称される。
【００１２】
これら手段の様々な形態は、すでに従来知られている。
【００１３】
このため、例えば、これらウインチまたは巻上機は、浮遊ユニットのデッキに配置され得る。
【００１４】
他の形態は、上記張力手段及び上記チェーンロックシステムを索道器に直接一体化した形態をとる。
【００１５】
一般的に、張力手段は、アンカーチェーンを所望の張力で配置することができるようにし、それにより、チェーンストッパが作動されてチェーンをロックしてチェーンを所定位置で維持する前に、浮遊構造体を正確に係留しアンカーし、このため、浮遊構造体を係留させることができるようになる。
【００１６】
チェーンストッパは、通常、張力デバイスに問題が生じた場合に、張力をかけている間に継続して自己ロックしている。
【００１７】
このような案内索道器の開示のために、例えば、特許文献１を参照し得る。
【００１８】
特許文献１は、実際には、上述したように、張力手段とロック手段とを組み込んでいる。
【先行技術文献】
【特許文献】
【００１９】
【特許文献１】米国特許第５，９３４，２１６号明細書
【発明の概要】
【発明が解決しようとする課題】
【００２０】
しかしながら、わかることは、このような構造体が比較的複雑であり製造するのに高価であること、である。
【００２１】
さらに、ほとんどの時間において、このような張力手段は、非常にまれにしか使用されない。
【００２２】
実際に、例えば浮遊しているこのような海上構造体において、監視及び調整並びにアンカー手段の張力反作用は、例えば、毎年または５年ごとになされ得、わかることは、特許文献１に記載された索道器構造体が、費用対使用の比率の観点から全く有効ではないこと、である。
【００２３】
したがって、本発明は、これら問題を解決することを目的とする。
【課題を解決するための手段】
【００２４】
そのために、本発明は、浮遊構造体のようなタイプの海上構造体に関し、この海上構造体は、アンカーポイントにおいてアンカー素子を案内するための少なくとも１つの索道器を有し、上記索道器が、構造体とアンカーポイントとの間でアンカー素子の平行移動を案内できる案内手段と、案内手段においてアンカー素子を移動させ、それにより、張力を受けた状態で上記アンカー素子を配置するための手段と、案内手段においてアンカー素子が移動することを防止でき、構造体をアンカーポイントに係留させるためのロック手段と、を備え、案内手段においてアンカー素子を移動させるための手段が、索道器の構造体の残りの部分とは別の個別の部品に一体化されており、この部品と索道器の構造体の残りの部分とが、退避式連結手段を備える。
【００２５】
本発明にかかる組立体は、単独でまたは技術的に可能な組合せに従って考慮される以下の特徴のうちの１以上を備え得る。
−アンカー素子の移動手段が組み込まれている個別の部品が、案内索道器の残りの部分に係合するのに適し、索道器の残りの部分に対してこの部品を中心合せして部品を所定位置にロックするための手段を有する、移動手段のための支持フレームを有しており、ロック手段が、第１アクチュエータによって、案内索道器の残りの部分に対するフレームの作動連結位置と、部品を解放してこの部品を索道器の残りの部分から取り外すことを可能とする退避位置と、の間で移動可能である、
−中心合手段が、索道器の残りの部分と相補的であり、ロック手段の位置合わせ及び中心合せが可能な中心合素子と協働できる中心合突起を備え、ロック手段が、第１アクチュエータによって、索道器の残りの部分における対応するロック穴部内に突出する作動ロック位置と、解放退避位置と、の間で移動可能であるロックピンを備える、
−アンカー素子を移動させるための手段が、アンカー素子を移動させて張力をかけるための搬送体を備え、搬送体が、少なくとも１つの第２アクチュエータによって個別の部品の案内路で往復移動可能である、
−アンカー素子を移動させて張力をかけるための搬送体が、アンカー素子を把持するための手段を有し、手段が、少なくとも１つの第３アクチュエータによって、アンカー素子を把持してそれにより少なくとも１つの第２アクチュエータの作動を受けて搬送体が所定方向で移動すると張力搬送体によってアンカー素子を移動させることを可能とする作動位置と、搬送体を解放し、搬送体が少なくとも１つの第２アクチュエータの作動を受けて搬送体が他方向で戻るまたは索道器の残りの部分から個別の部品を解放することを可能とする退避位置と、の間で移動可能である、
−ロック手段が、案内手段におけるアンカー素子の移動をロックでき、アンカー素子のための停止手段を備え、停止手段が、少なくとも１つの第４アクチュエータの制御下で、アンカー素子をロックする作動停止位置と、アンカー素子を解放するための退避位置と、の間で移動可能である、
−アクチュエータの制御手段を有し、それにより、
−案内索道器の残りの部分に対する個別の部品のロック位置にあるロック手段の第１アクチュエータを制御し、
−アンカー素子の作動把持位置にある把持手段の第３アクチュエータを制御し、
−アンカー素子の解放退避位置にあるアンカー素子のロック手段の第４アクチュエータを制御し、
−搬送体を移動させてアンカー素子に張力をかけるまたは弛緩させるための第２アクチュエータを制御し、
−作動当接位置にあるアンカー素子のロック手段の第４アクチュエータを制御してアンカー素子をロックし、
−アンカー素子の退避解放位置にある把持手段の第３アクチュエータを制御し、
−個別の部品の退避解放位置にあるロック手段の第１アクチュエータを制御し、個別の部品を索道器の残りの部分から取り外すことを可能とする、
−アクチュエータが、ジャックを備える、
−個別の部品が、当該個別の部品の取扱手段に取り付けるための手段を有する、
−海上構造体の周囲に配設された複数の案内索道器を有し、個別の部品の取扱移動手段が、索道器のうちの少なくとも一部の間で個別の部品を移動させるのに適している。
【００２６】
本発明は、添付の図面を参照しながら、例としてのみ提供されている以下の説明を読むとより理解される。
【図面の簡単な説明】
【００２７】
【図１】本発明にかかる海上構造体を示す概略斜視図である。
【図２】このような海上構造体の一部を示す斜視図であって、索道器がこの海上構造体に設置されていることを示す、斜視図である。
【図３】このような索道器を示す上方からの斜視図である。
【図４】このような索道器を示す下方からの斜視図である。
【図５】本発明にかかる海上構造体においてアンカー素子を移動させるための手段を組み込んだ部品を示す上方からの斜視図である。
【図６】本発明にかかる海上構造体においてアンカー素子を移動させるための手段を組み込んだ部品を示す下方からの斜視図である。
【図７】本発明にかかる海上構造体においてアンカー索道器の構成部材に含まれている把持手段を示す斜視図である。
【図８】本発明にかかる海上構造体においてアンカー索道器の構成部材に含まれているロック手段を示す斜視図である。
【図９】本発明にかかる構造体におけるアンカー索道器の構成部材に含まれているアクチュエータのための制御手段の構造及び動作を示す図である。
【図１０】本発明にかかる構造体におけるアンカー索道器の動作を示す図である。
【図１１】本発明にかかる構造体におけるアンカー索道器の動作を示す図である。
【図１２】本発明にかかる構造体におけるアンカー索道器の動作を示す図である。
【図１３】本発明にかかる構造体におけるアンカー索道器の動作を示す図である。
【発明を実施するための形態】
【００２８】
これら図面、特に図１は、参照符号１が付された浮遊構造体のような海上構造体を示す。
【００２９】
この構造体１は、アンカー・係留手段を介して、海底２に係留されている。
【００３０】
上記アンカー・係留手段は、例えば、チェーンなどで形成されたアンカーラインを備える。
【００３１】
上記係留・アンカーチェーンのうちの１つには、例えば、参照符号３が付されている。
【００３２】
上記チェーン３の一方の端部は、海底２にあるアンカー・係留ポイント４に関連付けられており、その他端部は、例えば上記図１において参照符号５が付された案内索道器を通して、浮遊構造体に関連付けられている。
【００３３】
このようなアンカー・係留ライン及びこのような索道器は、例えば、浮遊構造体１の周りに一定間隔で分布されており、浮遊構造体を海底に所定位置で維持することをできるようにする。
【００３４】
図２において、このような索道器を設置することをより詳細に示す。
【００３５】
この図２には、例えば参照符号１が付された浮遊海上構造体と、参照符号３が付され、チェーンで形成されたアンカー・係留ラインと、参照符号５が付された索道器と、が示されている。
【００３６】
この索道器５は、例えば、アンカー素子３を案内することをできるようにし、アンカー素子に張力をかけて所定位置でロックし、それにより、上述のように構造体を所定位置で維持する。
【００３７】
以下で詳述するように、上記索道器は、アンカー素子を移動させることをできるようにしてそれによりアンカー素子に張力をかける手段と、上記アンカー素子を所望の張力で所定位置にロックしてアンカーポイント、例えばポイント４に構造体１を係留することをできるようにする手段と、を有する。
【００３８】
図３及び図４は、上記索道器の１つの可能性のある例示的な実施形態を示す。
【００３９】
上記案内索道器には、これら図面において、依然として参照符号５が付される。
【００４０】
上記案内索道器は、浮遊構造体に固定するための手段を有し、上記固定手段には、これら図面において、参照符号１０が付される。
【００４１】
上記固定手段１０は、例えば溶接、ボトル締めなどによって浮遊構造体１に固定されることを意図した適切な取付盤を備える。
【００４２】
アンカー構造体３のための案内手段１１は、例えば、上記固定取付盤１０にヒンジ取り付けられている。
【００４３】
索道器は、案内手段１１であって、上記アンカー素子に張力をかけるためにこの案内手段内でアンカー素子を移動させるための案内手段と、浮遊構造体を対応するアンカーポイントに係留させるために案内手段におけるアンカー素子の移動をロックできるロック手段と、を備える。
【００４４】
このような構造体は、上記特許文献１から一般的な方法として知られている。
【００４５】
本発明にかかる海上構造体、具体的にはこの海上構造体のアンカー・係留索道器それぞれにおいて、案内手段内でアンカー素子を移動させるための手段は、個別の部品として組み込まれており、索道器の構造体の残りの部分から分離しており、上記部品と索道器の構造体の残りの部分とは、これらの退避式連結手段を有する。
【００４６】
これら図面において、索道器の残りの構造体には、参照符号１２が付されており、アンカー素子を移動させるための手段が一体化されている個別のかつ分離した部品には、参照符号１３が付されている。
【００４７】
実際には、索道器の残りの部分とは別の上記個別の部品１３は、アンカー・係留素子を移動させるための手段の支持フレームの形態をとる。
【００４８】
上記支持フレームには、これら図面において、参照符号１４が付されており、案内索道器の残りの構造体に係合して取り付けるのに適している。
【００４９】
上記フレームは、索道器の残りの部分に対して位置合わせして中心合せし、所定位置にロックするための手段を有する。
【００５０】
このため、例えば、図４においてより明確に示すように、上記フレーム１４を索道器の残りの構造体１２に中心合せするための手段は、突起を備えており、これら突起のうちの１つには、上記図４において、例えば参照符号１５が付されており、この突起は、索道器の残りの部分の相補的な中心合素子１６に係合して中心合素子と協働するのに適しており、上記部品を互いに位置合わせして中心合せすることをできるようにする。
【００５１】
上記中心合素子は、例えば、対応する突起を受けることを意図した突出タブによって形成されている。
【００５２】
このような中心合手段は、例えば、上記部品の各側に設けられている。
【００５３】
個別のかつ分離した部品１３は、同様に、索道器の残りの部分１２にある組立位置に部品をロックするための手段を有する。
【００５４】
例えば、上記ロック手段は、４つあり、これらロック手段には、図４において、参照符号１７、１８、１９及び２０が付されている。
【００５５】
上記ロック手段は、例えばフレーム１４の各側において、例えば対になって分配されている。
【００５６】
上記ロック手段は、案内索道器の残りの部分１２にあるフレーム１４の動作連結位置と、フレームを索道器の残りの部分から取り外すことを可能とするための上記フレームの退避解放位置と、の間で移動可能である。
【００５７】
実際には、例えば図４に示すように、部品１３のロック手段それぞれ、例えばロック手段２０は、ロックピンを有し、ロックピンの１つには、例えば上記ロック手段２０に関して、参照符号２１が付されている。
【００５８】
ロック手段２０のピン２１及び第１アクチュエータ２２の例において、上記ピンは、例えば電気機械の第１アクチュエータ２２によって、索道器の残りの部分１２に対して、フレーム１４の退避解放位置と動作ロック位置との間で移動可能であり、フレームを所定位置に配置するまたは取り外すことを可能とし、この動作ロック位置において、上記ロックピン２１は、索道器の対応するロック穴部内に突出し、上記穴部には、例えば参照符号２３が付されている。
【００５９】
わかることは、これらピン及びこれら第１アクチュエータが退避位置にあり、したがって、対応するピンが索道器の残りの部分の対応する穴部から解放されると、フレーム１４は、索道器の残りの部分１２から解放され得る。
【００６０】
反対に、上記フレーム１４が上記索道器の残りの部分１２にある所定位置に配置されなければならない場合、中心合突起、例えば突起１５を中心合突起の対応する中心合素子、例えば素子１６に配置することは、フレーム１４を正確に配置してフレームを索道器の残りの部分１２に位置合わせすることをできるようにするのに十分である。
【００６１】
いったんフレームがこの中心合わせした位置にかつ位置合わせした正確な位置にあると、アクチュエータ２２のような第１アクチュエータは、作動され、ロックピン２１のようなロックピンをロック穴部２３のような対応するロック穴部内に移動させ、上記部品１３を索道器の残りの部分にロックさせ、それにより、フレームを索道器に対して所定位置でロックする。
【００６２】
同様に上述したように、この個別のかつ分離した部品１３またはフレーム１４は、同様に、アンカー素子３を移動させるための手段を有する。
【００６３】
図５から図７は、上記移動手段の例示的な実施形態を示す。
【００６４】
これら図において、個別のかつ分離した部品１３及びこの部品の構成部材フレーム１４は、視認可能である。
【００６５】
実際には、これら図において、アンカー素子３を移動させるための手段には、参照符号２５が付されており、この移動手段は、例えば、アンカー素子を移動させて張力をかけるための搬送体を備える。
【００６６】
この搬送体には、これら図において、参照符号２６が付されており、この搬送体は、例えばフレーム１４の対応する案内路２７及び２８上において往復移動で移動可能である。
【００６７】
搬送体２６の上記移動は、上記搬送体２６とフレーム１４の残りの部分との間に介装された少なくとも１つの第２アクチュエータによって付与されている。
【００６８】
これら図に示す例には、このタイプの一対の第２アクチュエータが示されており、これら第２アクチュエータは、フレームと搬送体との間で上記フレームの両側に配設されている。上記第２アクチュエータそれぞれには、これら図において、参照符号２９及び３０が付されている。
【００６９】
これらアクチュエータは、これらの電力供給命令に基づいて、案内路２７及び２８に沿って往復移動で前後に上記搬送体２６を移動させることをできるようにする。
【００７０】
上記アクチュエータの電力供給命令を以下で詳述する。
【００７１】
上記搬送体２６は、同様に、アンカー素子、すなわちチェーン３を把持するための手段を有する。
【００７２】
上記把持手段には、上記図５から図７において、例えば参照符号３１が付されている。
【００７３】
上記把持手段３１は、例えば、アンカー素子を把持するための部材を備え、この部材には、これら図において、参照符号３２が付されている。
【００７４】
上記把持手段３２は、少なくとも１つの第３アクチュエータによって、アンカー素子を把持してそれにより上記少なくとも１つの第２アクチュエータの作用を受けて搬送体が所定方向に移動するときに張力搬送体２６による上記アンカー素子の移動を許容する作動位置と、搬送体を解放して上記少なくとも２つの第２アクチュエータの作用を受けてまたは個別の部品１３もしくはフレーム１４の索道器の残りの部分１２からの解放により搬送体２６が他方向で戻ることを可能とする退避位置と、の間で移動可能である。
【００７５】
実際には、この部品または把持部材３２は、例えば、搬送体の残りの部分に連節して備え付けられており、例えば、これらの図において参照符号３３及び３４が付された一対の第３アクチュエータによって、その退避位置とその動作位置との間で移動可能である。
【００７６】
この把持部品３２は、チェーンを把持することまたは反対にチェーンを解放するためにチェーンをそのままにすることをできるようにする適切な形状を有する。
【００７７】
これにより、上記手段は、張力への反作用または反対に張力を解放する必要に基づいて、索道器内でアンカー素子を移動させることによって、アンカー素子の張力を調整することが可能となる。
【００７８】
上述のように、索道器は、同様に、案内手段１１内でのアンカー素子３の移動をロックすることができるロック手段を有しており、アンカー素子を所定位置でロックし、したがって、浮遊構造体を係留させる。
【００７９】
上記ロック手段は、例えば、少なくとも１つの第４アクチュエータの制御下で、アンカー素子をロックするための動作ロック位置と上記アンカー素子を解放するための退避位置との間で移動可能である手段を備える。
【００８０】
実際には、図８に例として示すように、この図において参照符号４０が付されているロック手段は、例えば、クランプ形状部材を備える。
【００８１】
上記部材４０は、例えば、この図８において参照符号４１及び４２が付された２つの両側にあるロック顎体を有し、これらロック顎体は、この図において参照符号４３が付された少なくとも１つの第４アクチュエータの制御の下で、索道器内でアンカー素子３をロックするための閉鎖作動ロック位置と、上記アンカー素子を解放するための開放退避位置と、の間で移動可能である。
【００８２】
これにより、索道器に対してアンカー素子をロックするまたは反対に解放することができるようになる。
【００８３】
チェーンストッパは、張力装置に問題が生じた場合に、張力をかけている間ほぼ連続的に自己ロックする。
【００８４】
これら様々なアクチュエータの動作は、電力制御システムによって制御されており、この電力制御システムは、観測コンピュータによって制御されている。
【００８５】
これらアクチュエータは、例えばジャックを備える。
【００８６】
これらアクチュエータの電力供給の制御構造及びその動作を図９に示し、この図９においてわかることは、第１、第２、第３及び第４アクチュエータそれぞれは、符号１７から符号２０、符号２９及び符号３０、符号３３及び符号３４、並びに最後に符号４３である。
【００８７】
これらは、この図において参照符号５０が付され、これらの電力供給を観測するためのシステムによって制御されており、このシステムは、観測コンピュータ５１によって制御されている。
【００８８】
図９及び図１０から図１３は、構造体の上述した様々なアクチュエータの様々なステップ及び位置を示しており、本発明にかかる構造体の構成に含まれる索道器の動作を例示して説明することをできるようにする。
【００８９】
このため、まず第１に、ステップ６０中において、個別の部品１３は、索道器の残りの部分１２における中心合位置に配設される。
【００９０】
ステップ６１において、第１アクチュエータ１７、１８、１９及び２０は、それらの作動位置に向けて操縦され、上記個別の部品を索道器の残りの部分上の所定位置にロックする。
【００９１】
これを図１０に示す。
【００９２】
ステップ６２において、図１１に示すように、第３アクチュエータ３３及び３４は、それらの作動把持位置に向けて操縦され、アンカー素子３の把持手段３１を移動させる。
【００９３】
ステップ６３において、アンカー素子３のロック手段４０の第４アクチュエータ４３は、開放位置に向けて操縦され、アンカー素子３を解放する。
【００９４】
アンカー素子３は、把持手段３１によって所定位置で維持される。
【００９５】
ステップ６４において、第２アクチュエータ２９及び３０は、搬送体２６を移動させるために操縦され、アンカー素子３を搬送体と共に駆動させ、それにより、アンカー素子を索道器内で移動させ、例えばアンカー素子に張力をかける。
【００９６】
ステップ６５において、第４アクチュエータ４３は、操縦されてロック手段４０のクランプを閉じ、アンカー素子３を索道器内の所定位置でロックする。
【００９７】
ステップ６６において、第３アクチュエータ３３及び３４は、操縦されてアンカー素子３の把持手段３１を把持手段の退避位置に向けて移動させる。
【００９８】
これにより、搬送体２６を解放させることができるようになり、それにより、第２アクチュエータ２９及び３０を操縦することによって、選択的に、搬送体をアンカー素子の把持位置に戻し、動作を開始させ、これにより、実際には、図９に示すように、ステップ６７によってループを閉じ、それにより、アンカー素子３の張力を調整することをできるようにする。
【００９９】
この調整を完了し、アンカー素子３が正確な張力を受けてロック手段４０によって索道器５内にロックされると、第１アクチュエータ１７から２０は、参照符号６８に示すように、これらの退避位置に向けて操縦され、個別の部品１３を索道器の残りの部分１２から解放させる。
【０１００】
これにより、例えば、この個別の部品１３を解放することができるようになる。
【０１０１】
わかることは、この動作が特定数のステップを有すること、及び、アクチュエータの命令手段が以下のことをできること、である。
−制御索道器の残りの部分上で個別の部品のロック位置にあるロック手段の第１アクチュエータを制御すること、
−アンカー素子の作動把持位置にある把持手段の第３アクチュエータを制御すること、
−アンカー素子の解放退避位置にあるアンカー素子のロック手段の第４アクチュエータを制御すること、
−搬送体を移動させてアンカー素子に張力をかけるまたはアンカー素子を弛緩させるために第２アクチュエータを制御すること、
−アンカー素子の作動ロック位置にあるアンカー素子のロック手段の第４アクチュエータを制御すること、
−アンカー素子の退避解放位置にある把持手段の第３アクチュエータを制御すること、そして、最後に、
−例えば個別の部品の退避解放位置にあるロック手段の第１アクチュエータを制御して個別の部品を索道器の残りの部分から取り外すことを可能とすること。
【０１０２】
このため、いったんこの個別の部品を索道器の残りの部分から解放すると、例えば、この部品を少なくとも１つの他の索道器に向けて移動させ、例えば海上構造体を設置することができるようになる。
【０１０３】
実際には、上述したように、このような海上構造体は、例えば海上構造体の周囲に均等に配設された、複数の案内索道器などを有する。
【０１０４】
クレーンなどのような取扱手段を用いて複数の上記索道器のうちの少なくとも一部の間で上記別個の部品１３を移動させてそこに取り付けることができるようになり、対応するアンカー素子の張力を調整することができるようになる。
【０１０５】
これにより、様々な索道器に対して１つの個別の部品のみを使用することができるようになり、上記部品には、アンカー素子の張力を設定するまたは調整することができる移動手段が備えられている。
【０１０６】
そのため、図３に例として示すように、個別の部品１３、特にこの部品のフレーム１４は、アンカープレート、例えば取扱手段に関連付けられた取付手段を有する。
【０１０７】
これらプレートには、例えばこの図３において、参照符号６０、６１、６２及び６３が付されている。
【０１０８】
このため、プレートは、例えば、この個別の部品１３の各角部に設けられている。
【０１０９】
もちろん、他の実施形態を同様に想定し得る。
【０１１０】
これに関して留意することは、上述したアクチュエータが例えば様々なタイプのジャック、例えば油圧式、空圧式または他のジャックを有し得ること、である。
【０１１１】
これらアクチュエータは、例えば、遠隔の制御ステーションに接続されており、また、例えば、海上構造体に配置されている。
【０１１２】
このような構造体は、海上構造体に関連付けられた索道器または索道器部品が構造を最も簡素で最も低減することが可能であるので、いくつかの利点を有する。
【０１１３】
張力を受けている対応するアンカー素子を配置することができる移動手段は、実際には、索道器の残りの部分とは別の個別の部品に組み込まれており、これにより、これら移動手段を上記部品と共にこれら様々な索道器間で移動させることをできるようにし、それにより、移動手段それぞれにおいてアンカー素子の張力を調整する。
【０１１４】
このため、この単一タイプの部品を使用し得、様々な索道器間で共有し得る。
【０１１５】
結果として、索道器の残りの部分の簡素化、及び、この機能のための製造コストの低下をもたらす。
【０１１６】
これにより、同様に、これら移動手段へのアクセスが非常に容易であるので、これら移動手段のための維持をより容易にする。
【０１１７】
もちろん、他の実施形態を同様に想定し得る。
【符号の説明】
【０１１８】
１  海上構造体，浮遊構造体、３  チェーン，アンカー素子，アンカー構造体、４  アンカー・係留ポイント、５  案内索道器、１１  案内手段、１２  案内索道器の残りの部分、１３  個別の部品、１４  構成部材フレーム，個別の部品、１５  中心合突起，退避式連結手段、１６  中心合素子，退避式連結手段、１７，１８，１９，２０  ロック手段，退避式連結手段、２１  ロックピン、２２  第１アクチュエータ、２３  ロック穴部、２６  張力搬送体，アンカー素子を配置するための手段、２７，２８  案内路、２９，３０  第２アクチュエータ、３１  把持手段、３２  把持手段，把持部材，把持部品、３３，３４  第３アクチュエータ、４０  ロック手段、４１，４２  停止手段、４３  第４アクチュエータ、５０  制御手段、５１  制御手段，観測コンピュータ、６０，６１，６２，６３  取り付けるための手段
【図１】
2019510689.tif 000003
【図２】
2019510689.tif 000004
【図３】
2019510689.tif 000005
【図４】
2019510689.tif 000006
【図５】
2019510689.tif 000007
【図６】
2019510689.tif 000008
【図７】
2019510689.tif 000009
【図８】
2019510689.tif 000010
【図９】
2019510689.tif 000011
【図１０】
2019510689.tif 000012
【図１１】
2019510689.tif 000013
【図１２】
2019510689.tif 000014
【図１３】
2019510689.tif 000015
【国際調査報告】
2019510689.tif 000016
2019510689.tif 000017
2019510689.tif 000018
2019510689.tif 000019